(57)【特許請求の範囲】
【請求項１】
貫通孔が形成された天井板と、
前記天井板よりも上方に設けられ、前記貫通孔を通過する光を発する照明装置と、
回動軸を有し、前記天井板に設けられた回動装置と、
取付部を有し、前記取付部が前記天井板に対して固定可能な固定位置と、前記固定位置よりも前記取付部の位置が下方となる取替位置との間で前記回動軸を中心に回動する支持部材と、
前記支持部材に支持され、前記支持部材が前記固定位置に配置されることにより、前記貫通孔を通過した前記光の経路上に配置される光透過性のブロックとを備え、
前記天井板は、天井板本体と、前記天井板本体に固定された固定部材とを有し、
前記固定部材は、前記天井板本体の上面に固定された固定部と、前記固定部から前記貫通孔を通って前記天井板本体よりも下方へ延びた下延部とを含み、
前記支持部材は、前記下延部に着脱可能となっていることを特徴とするエレベータかご室天井。
【請求項２】
貫通孔が形成された天井板と、
前記天井板よりも上方に設けられ、前記貫通孔を通過する光を発する照明装置と、
前記天井板よりも下方から前記天井板に着脱可能に設けられた支持部材と、
前記支持部材に支持され、前記支持部材が前記天井板に固定されることにより、前記貫通孔を通過した前記光の経路上に配置される光透過性のブロックとを備え、
前記天井板は、天井板本体と、前記天井板本体に固定された固定部材とを有し、
前記固定部材は、前記天井板本体の上面に固定された固定部と、前記固定部から前記貫通孔を通って前記天井板本体よりも下方へ延びた下延部とを含み、
前記支持部材は、前記下延部に着脱可能となっていることを特徴とするエレベータかご室天井。
【請求項３】
前記支持部材は、ねじにより前記下延部に留められていることを特徴とする請求項１または請求項２に記載のエレベータかご室天井。
【請求項４】
前記支持部材には、前記ブロックの底面および側面の両方が露出する開口部が形成されていることを特徴とする請求項１ないし請求項３の何れか１項に記載のエレベータかご室天井。
【発明の詳細な説明】
【技術分野】
【０００１】
この発明は、天井板と、天井板に設けられた照明装置とを備えたエレベータかご室天井に関する。
【背景技術】
【０００２】
従来、天井板と、天井板の下方に設けられた複数の照明装置とを備えたエレベータかご室天井が知られている。天井板の下面には、全ての照明装置を下方から覆った照明ケースが設けられている。照明ケースは、天井板の下面に固定され天井板から下方へ延びた上側分割照明ケース部と、上側分割照明ケース部の下端部にビスおよびナットを用いて留められた下側分割照明ケース部とを有している。下側分割照明ケース部の天井板に対向した領域には、貫通孔が形成されている。下側分割照明ケース部の貫通孔には、上方からアクリル製のブロックが嵌め込まれている（例えば、特許文献１参照）。
【先行技術文献】
【特許文献】
【０００３】
【特許文献１】特開平５−１６２９５５号公報
【発明の概要】
【発明が解決しようとする課題】
【０００４】
しかしながら、かご室内にいる作業者がブロックの清掃または交換のために下側分割照明ケース部からブロックを取り外す際に、全ての照明装置を下方から覆った大きな下側分割照明ケース部を上側分割照明ケース部から取り外さなければならず、ブロックの清掃または交換の作業性が悪いという問題点があった。
【０００５】
この発明は、ブロックの清掃または交換の作業性を向上させることができるエレベータかご室天井を提供するものである。
【課題を解決するための手段】
【０００６】
この発明に係るエレベータかご室天井は、貫通孔が形成された天井板と、前記天井板よりも上方に設けられ、前記貫通孔を通過する光を発する照明装置と、回動軸を有し、前記天井板に設けられた回動装置と、取付部を有し、前記取付部が前記天井板に対して固定可能な固定位置と、前記固定位置よりも前記取付部の位置が下方となる取替位置との間で前記回動軸を中心に回動する支持部材と、前記支持部材に支持され、前記支持部材が前記固定位置に配置されることにより、前記貫通孔を通過した前記光の経路上に配置される光透過性のブロックとを備え、前記天井板は、天井板本体と、前記天井板本体に固定された固定部材とを有し、前記固定部材は、前記天井板本体の上面に固定された固定部と、前記固定部から前記貫通孔を通って前記天井板本体よりも下方へ延びた下延部とを含み、前記支持部材は、前記下延部に着脱可能となっている。
【発明の効果】
【０００７】
この発明に係るエレベータかご室天井によれば、照明装置が天井板の上方に設けられているので、ブロックを支持する支持部材が照明装置を保護する必要がなく、支持部材をブロックに合わせて小さくすることができる。これにより、かご室内にいる作業者は、支持部材を容易に回動させて、ブロックを支持部材から取り外すことができる。その結果、ブロックの清掃または交換の作業性を向上させることができる。
【図面の簡単な説明】
【０００８】
【図１】この発明の実施の形態１に係るエレベータかご室を示す構成図である。
【図２】図１の天井を示す断面図である。
【図３】図２の天井の一部を断面で示す側面図である。
【図４】図２の回動部材を示す斜視図である。
【図５】図３のＶ−Ｖ線に沿った矢視断面図である。
【図６】図３の支持部材を下方から視た図である。
【図７】図３の支持部材およびねじを示す側面図である。
【図８】図３のＶＩＩＩ−ＶＩＩＩ線に沿った矢視断面図である。
【図９】図１の天井をかご室内から視た図である。
【図１０】図９の支持部材およびブロックを示す拡大図である。
【図１１】図３の支持部材が回動軸を中心に回動して支持部材が固定部材から取り外された状態を示す図である。
【図１２】この発明の実施の形態２に係るエレベータかご室天井を示す図である。
【発明を実施するための形態】
【０００９】
以下、この発明の各実施の形態を図に基づいて説明するが、各図において、同一または相当の部材、部位については、同一符号を付して説明する。
【００１０】
実施の形態１．
図１はこの発明の実施の形態１に係るエレベータかご室を示す構成図である。エレベータかご室は、かご床１と、かご床１に立てられた壁２と、壁２の上端部に設けられた天井（エレベータかご室天井）３とを備えている。壁２の下端部には、かご床１に接触した幅木２ａが形成されている。
【００１１】
図２は図１の天井３を示す断面図である。天井３は、天井板４と、天井板４の上方に設けられた照明装置５と、天井板４に設けられたアルミニウム製の支持部材６と、支持部材６に支持されたアクリル樹脂製のブロック７とを備えている。
【００１２】
天井板４には、上方へ開放された窪み部８が形成されている。天井板４は、窪み部８の底面を形成する底板部４ａと、底板部４ａの外周部に設けられ、窪み部８の内側面を形成する縦板部４ｂと、縦板部４ｂの上端部に設けられ、窪み部８の外側に水平に配置された外板部４ｃとを有している。外板部４ｃには、窪み部８の開放部を塞ぐ天蓋９の外周部が載せられている。底板部４ａには、貫通孔１０が形成されている。照明装置５は、貫通孔１０に対向して配置されている。
【００１３】
窪み部８内には、天井板４の底板部４ａとともに収容室１１を形成した照明ボックス１２が設けられている。照明装置５は、収容室１１内で照明ボックス１２に支持されている。照明ボックス１２は、上方から視たときの外周部１２ａが全周に渡って天井板４の底板部４ａに接触している。これにより、天井板４と照明ボックス１２との間から収容室１１内に塵埃等が進入することが抑制される。なお、この例では、貫通孔１０は２ヶ所に形成されており、各貫通孔１０に対応して、照明装置５、支持部材６、ブロック７および照明ボックス１２が設けられている。
【００１４】
照明装置５は、貫通孔１０に向かって発光するＬＥＤ５ａを有している。ＬＥＤ５ａから発せられた光は、貫通孔１０内に進入する。なお、照明装置５は、ＬＥＤ５ａに限らず、例えば、白熱灯または蛍光灯などの発光体を有してもよい。
【００１５】
支持部材６は、貫通孔１０に挿入されている。ブロック７は、かご室内に配置され、かつ、貫通孔１０を通過した照明装置５からの光の経路上に配置されている。なお、ブロック７は、貫通孔１０に挿入されてもよく、また、上端部が貫通孔１０内に配置されてもよい。
【００１６】
収容室１１内には、照明装置５から発せられた光が貫通孔１０の内面と支持部材６との隙間を通過するのを防止する遮光部材１３が設けられている。遮光部材１３は、底板部４ａに取り付けられている。また、遮光部材１３は、上方から視たときに貫通孔１０の内面と支持部材６との隙間を全周に渡って塞いでいる。これにより、光漏れによる意匠性の悪化を抑制することができる。また、遮光部材１３は、支持部材６を天井板４に固定するときに支持部材６の上端部に当接するストッパとなっている。これにより、支持部材６を天井板４に固定するときに、支持部材６の位置決めを容易に行うことができる。また、遮光部材１３は、かご室内から貫通孔１０の内面と支持部材６との間を通って収容室１１内に塵埃等が進入することを抑制している。遮光部材１３は、ゴムまたはスポンジ素材などの材料から構成されている。
【００１７】
図３は図２の天井３の一部を断面で示す側面図である。天井板４の底板部４ａは、平板状の天井板本体１４と、天井板本体１４に設けられた固定部材１５とを有している。貫通孔１０は、かご室の奥行き方向に延びて形成されている。固定部材１５は、天井板本体１４の上面に固定された固定部１５ａと、固定部１５ａから貫通孔１０を通って天井板本体１４よりも下方へ延びた下延部１５ｂとを含んでいる。下延部１５ｂには、天井板本体１４よりも下方でねじ１６により支持部材６が留められている。ねじ１６の頭部の表面と支持部材６の表面とは、互いに同色となっている。支持部材６が下延部１５ｂに留められている状態では、支持部材６およびブロック７は、貫通孔１０の長手方向に延びている。
【００１８】
天井３は、天井板４に設けられた回動装置１７をさらに備えている。回動装置１７は、天井板本体１４に設けられた固定部材１８と、固定部材１８に設けられ、支持部材６を回動可能に支持した回動軸１９とを有している。固定部材１８は、図４に示すように、天井板本体１４の上面に固定された固定部１８ａと、固定部１８ａから貫通孔１０を通って天井板本体１４よりも下方へ延びた下延部１８ｂとを含んでいる。下延部１８ｂには、回動軸１９が挿入される貫通孔１８ｃが形成されている。回動軸１９は、天井板本体１４よりも下方で下延部１８ｂに取り付けられている。回動軸１９は、天井板本体１４に沿うとともに、貫通孔１０の長手方向に直交する方向に沿っている。支持部材６の長手方向についての一端部である取付部６ａが固定部材１５に固定され、他端部が回動装置１７に支持されている。支持部材６は、取付部６ａが固定部材１５に対して固定可能な固定位置と、固定位置よりも取付部６ａの位置が下方となる取替位置との間で回動軸１９を中心に回動する。固定位置にある支持部材６は、固定部材１５からねじ１６が取り除かれることで、自重により取替位置に回動する。
【００１９】
固定部材１５の固定部１５ａと、固定部材１８の固定部１８ａとの間は、ブロック７の長手方向の長さよりも僅かに大きく形成されている。これにより、支持部材６が固定部材１５に留められている状態では、支持部材６に対するブロック７の長手方向の位置が決められている。
【００２０】
図５は図３のＶ−Ｖ線に沿った矢視断面図、図６は図３の支持部材６を下方から視た図である。支持部材６は、上面が開口された箱状に形成されている。支持部材６の底板部には、長手方向に延びた開口部６ｂが形成されている。開口部６ｂの横幅は、ブロック７の横幅よりも狭くなっている。開口部６ｂの縦幅は、ブロック７の縦幅よりも狭くなっている。これにより、ブロック７が支持部材６に支持される。また、ブロック７のみが、かご室内において開口部６ｂから露出される。上方からブロック７に進入した光は、開口部６ｂを通ってかご室内に放射される。また、支持部材６を下方から視たときに、固定部材１５および固定部材１８が支持部材６によって隠されているので、天井３の意匠性を向上させることができる。また、支持部材６を下方から視たときに、開口部６ｂの長手方向についての側面を形成する一対の底板縦部６ｃによってブロック７が挟まれているように見えるので、天井３がシャープですっきりとなる。
【００２１】
図７は図３の支持部材６およびねじ１６を示す側面図である。ねじ１６は、皿ねじである。支持部材６には、ねじ１６が挿入される挿入孔６ｄが形成されている。挿入孔６ｄは、ねじ１６の頭部の形状に合わせて形成されている。したがって、ねじ１６が支持部材６に挿入され、支持部材６が固定部材１５に留められた状態では、ねじ１６の頭部が支持部材６から外側へ突出しないようになっている。その結果、天井３の意匠性を向上させることができる。
【００２２】
図８は図３のＶＩＩＩ−ＶＩＩＩ線に沿った矢視断面図である。回動軸１９の両端部の端面は、支持部材６の横幅方向の外面と同一面上に配置されている。これにより、回動軸１９が支持部材６から外側へ突出しないので、天井３の意匠性を向上させることができる。
【００２３】
図９は図１の天井３をかご室内から視た図、図１０は図９の支持部材６およびブロック７を示す拡大図である。支持部材６が固定位置にある場合、支持部材６およびブロック７は、かご室の幅方向に２本ずつ並べられている。ＬＥＤ５ａは、かご室の奥行き方向にライン状に配置されている。また、ＬＥＤ５ａは、かご室の幅方向に２本並べられている。
【００２４】
図１１は図３の支持部材６が回動軸１９を中心に回動して支持部材６が固定部材１５から取り外された状態を示す図である。かご室内にいる作業者は、ドライバー等の専用工具を用いてねじ１６を支持部材６および固定部材１５から抜き取ることで、回動軸１９を中心に支持部材６を容易に回動させることができる。支持部材６の位置を取替位置まで回動させることで、ブロック７を支持部材６から取り外し、また、ブロック７を支持部材６に取り付けることができる。
【００２５】
支持部材６を固定部材１５に取り付ける際には、支持部材６が遮光部材１３に当接するまで回動させる。支持部材６を遮光部材１３に当接させることで、支持部材６の位置が固定位置となる。また、支持部材６の挿入孔６ｄと固定部材１５の下延部１５ｂに形成されたねじ孔とが同一直線上に配置される。その後、ねじ１６を支持部材６に挿入し、ねじ１６の先端部を固定部材１５に螺着させる。
【００２６】
以上説明したように、この実施の形態に係る天井３によれば、照明装置５が天井板４の上方に設けられているので、ブロック７を支持する支持部材６が照明装置５を保護する必要がなく、支持部材６をブロック７に合わせて小さくすることができる。これにより、かご室内にいる作業者は、支持部材６を回動させて、ブロック７を支持部材６から容易に取り外すことができる。その結果、ブロック７の清掃または交換の作業性を向上させることができる。また、支持部材６は、固定部材１５から取り外されることで、回動軸１９を中心に回動するので、作業者が支持部材６から手を放しても、支持部材６が回動軸１９から落下することがない。その結果、ブロック７の清掃または交換の作業性をさらに向上させることができる。
【００２７】
また、支持部材６は、天井板本体１４の上面に固定された固定部１８ａから貫通孔１０を通って天井板本体１４よりも下方へ延びた下延部１８ｂに着脱可能となっているので、かご室内から天井３を視たときに、固定部材１５を支持部材６によって隠すことができる。その結果、天井３の意匠性を向上させることができる。
【００２８】
また、支持部材６は、ねじ１６により下延部１８ｂに留められているので、支持部材６を下延部１８ｂに容易に着脱させることができる。
【００２９】
実施の形態２．
図１２はこの発明の実施の形態２に係るエレベータかご室天井を示す図である。天井３は、実施の形態１に記載の回動装置１７を備えておらず、代わりに、天井板４が、天井板本体１４に設けられた固定部材１５をさらに有している。支持部材６の長手方向についての両端部は、天井板本体１４よりも下方でねじ１６により、一対の固定部材１５に留められている。その他の構成は、実施の形態１と同様である。
【００３０】
以上説明したように、この実施の形態に係る天井３によれば、天井板４は、天井板本体１４と、天井板本体１４の上面に固定された一対の固定部材１５とを有し、支持部材６の両端部は、天井板本体１４よりも下方で固定部材１５に着脱可能となっているので、かご室内にいる作業者は、支持部材６を固定部材１５から取り外して、ブロック７を支持部材６から容易に取り外すことができる。その結果、ブロック７の清掃または交換の作業性を向上させることができる。
【００３１】
なお、各実施の形態では、ブロック７の底面がかご室内で露出されるように底板部に開口部６ｂが形成された支持部材６について説明したが、ブロック７の底面および側面の両方がかご室内で露出されるように底板部および縦板部に開口部が形成された支持部材であってもよい。これにより、ブロック７に進入した光をかご室内に効果的に放射させることができる。また、ブロック７の側面のみがかご室内で露出されるように縦板部に開口部が形成された支持部材であってもよい。
【００３２】
また、各実施の形態では、支持部材６がねじ１６により固定部材１５に留められた天井３について説明したが、例えば、支持部材６に天井板本体１４に面接触するつば部を形成し、支持部材６のつば部にねじを貫通させ、ねじの先端部を天井板本体１４に螺着させて、ねじの頭部と天井板本体１４とにより支持部材６のつば部を挟むことにより、支持部材６が天井板本体１４に留められた天井３であってもよい。これにより、固定部材１５が不要となり、天井３の構成を簡素化させることができる。
【００３３】
また、各実施の形態では、アクリル樹脂製のブロック７について説明したが、アクリル樹脂製に限らず、例えば、ガラス等の光透過性のブロック７であってもよい。
【００３４】
また、各実施の形態では、アルミニウム製の支持部材６について説明したが、アルミニウム製に限らず、光沢のあるその他の金属から構成されてもよい。また、支持部材６の表面を金属メッキしてもよい。
【符号の説明】
【００３５】
１  かご床、２  壁、２ａ  幅木、３  天井（エレベータかご室天井）、４  天井板、４ａ  底板部、４ｂ  縦板部、４ｃ  外板部、５  照明装置、５ａ  ＬＥＤ、６  支持部材、６ａ  取付部、６ｂ  開口部、６ｃ  底板縦部、６ｄ  挿入孔、７  ブロック、８  窪み部、９  天蓋、１０  貫通孔、１１  収容室、１２  照明ボックス、１２ａ  外周部、１３  遮光部材、１４  天井板本体、１５  固定部材、１５ａ  固定部、１５ｂ  下延部、１６  ねじ、１７  回動装置、１８  固定部材、１８ａ  固定部、１８ｂ  下延部、１８ｃ  貫通孔、１９  回動軸。
【図１】
0005441603.tif 000002
【図２】
0005441603.tif 000003
【図３】
0005441603.tif 000004
【図４】
0005441603.tif 000005
【図５】
0005441603.tif 000006
【図６】
0005441603.tif 000007
【図７】
0005441603.tif 000008
【図８】
0005441603.tif 000009
【図９】
0005441603.tif 000010
【図１０】
0005441603.tif 000011
【図１１】
0005441603.tif 000012
【図１２】
0005441603.tif 000013